(57)【特許請求の範囲】
【請求項１】
樹脂材料で形成された浴室用床パネルであって、
前記浴室用床パネルの上の水を排水するための排水口と、
前記浴室用床パネルの表面に間隔を空けて島状に形成された複数の凸部と、
前記複数の凸部のそれぞれの間に、前記凸部を取り囲むように設けられ、前記排水口まで連続するように設けられた導水路と、
を備え、
前記導水路は、交差部を形成するように２方向以上に渡って形成され、
前記導水路内に水が流れ込んだ時に、前記排水口まで水が途切れることなく連続的に存在するために、前記交差部において、前記導水路の底面に、前記交差部以外の前記導水路の底面よりも凹ませた凹部が設けられたことを特徴とする浴室用床パネル。
【請求項２】
樹脂材料で形成された浴室用床パネルであって、
前記浴室用床パネルの上の水を排水するための排水口と、
前記排水口に連通し、前記排水口への水の排水を補助するための排水流し溝と、
前記浴室用床パネルの表面に間隔を空けて島状に形成された複数の凸部と、
前記複数の凸部のそれぞれの間に、前記凸部を取り囲むように設けられ、前記排水流し溝まで連続するように設けられた導水路と、
を備え、
前記導水路は、交差部を形成するように２方向以上に渡って形成され、
前記導水路内に水が流れ込んだ時に、前記排水流し溝まで水が途切れることなく連続的に存在するために、前記交差部において、前記導水路の底面に、前記交差部以外の前記導水路の底面よりも凹ませた凹部が設けられたことを特徴とする浴室用床パネル。
【請求項３】
樹脂製の浴室用床パネルであって、
前記浴室用床パネルの上の水を排水するための排水口と、
前記浴室用床パネルの表面に設けられた複数の凸部と、
前記複数の凸部の間に設けられ、第１の方向に延在する第１の間隙部と、第１の方向とは異なる第２の方向に延在する第２の間隙部と、前記第１の間隙部と前記第２の間隙部とが交差する交差部の底面に設けられた凹部と、を有し、前記排水口に連続する導水路と、
を備え、  
前記凹部は、前記交差部の底面に、前記交差部以外の前記導水路の底面よりも凹み、
前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水口に途切れることなく排水されることを特徴とする浴室用床パネル。
【請求項４】
樹脂製の浴室用床パネルであって、
前記浴室用床パネルの上の水を排水するための排水口と、
前記排水口に連通し、前記排水口への水の排水を補助するための排水流し溝と、
前記浴室用床パネルの表面に設けられた複数の凸部と、
前記複数の凸部の間に設けられ、第１の方向に延在する第１の間隙部と、第１の方向とは異なる第２の方向に延在する第２の間隙部と、前記第１の間隙部と前記第２の間隙部とが交差する交差部の底面に設けられた凹部と、を有し、前記排水流し溝に連続する導水路と、
を備え、  
前記凹部は、前記交差部の底面に、前記交差部以外の前記導水路の底面よりも凹み、
前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水流し溝に途切れることなく排水されることを特徴とする浴室用床パネル。
【請求項５】
前記凹部は、前記交差部の近傍まで延在していることを特徴とする請求項１〜４のいずれか１つに記載の浴室用床パネル。
【請求項６】
前記凹部は、前記導水路内の排水勾配に影響されずに水が前記凹部内に滞留可能となるように形成されていることを特徴とする請求項１〜５のいずれか１つに記載の浴室用床パネル。
【請求項７】
前記導水路内における前記凹部の底面と、前記導水路内における前記凹部と隣接する底面との高低差は１ｍｍ以下であることを特徴とする請求項１〜６のいずれか１つに記載の浴室用床パネル。
【発明の詳細な説明】
【技術分野】
【０００１】
本発明は、例えば、浴室、シャワー室等に使用される浴室用床パネルに関する。
【背景技術】
【０００２】
浴室やシャワー室等の洗い場に用いられる床パネルとして、床パネルの表面に凸部を設け、凸部の間に流れ込んだ水を途切れさせずに一時捕水できる状態にする流路（導水路）を排水口または排水流し溝まで連続して形成し、床パネルの上の残水を排水する技術が開示されている（特許文献１）。これによって、翌日には洗い場の上に水滴が残らなくなる。
【特許文献１】特許第３５０８７６１号公報
【発明の開示】
【発明が解決しようとする課題】
【０００３】
このような導水路が設けられた浴室用床パネルにおいて、浴室用床パネルの清掃性を高めるために、導水路の幅寸法を長くしたり、導水路の高さ（深さ）寸法を短くしたり、導水路の配置ピッチを長く設定することがある。このように、導水路を太く、低く（浅く）、長ピッチにすると、導水路の交差部で、水が途切れてしまう。交差部で水が途切れると、結果的に導水路内の水を、排水口または排水流し溝まで、途切れることなく連続的に存在させることができなくなり、このため、排水性が低下し、翌日なっても洗い場床上に水滴が残ることになってしまう。
【０００４】
このように、浴室用床パネルの清掃性と排水能力とはトレードオフの関係にある。このトレードオフを改善し、排水性と清掃性とを両立させた浴室用床パネルが望まれている。
【０００５】
本発明の目的は、排水性と清掃性とを両立させた浴室用床パネルを提供することにある。
【課題を解決するための手段】
【０００６】
本発明の一態様によれば、樹脂材料で形成された浴室用床パネルであって、前記浴室用床パネルの上の水を排水するための排水口と、前記浴室用床パネルの表面に間隔を空けて島状に形成された複数の凸部と、前記複数の凸部のそれぞれの間に、前記凸部を取り囲むように設けられ、前記排水口まで連続するように設けられた導水路と、を備え、前記導水路は、交差部を形成するように２方向以上に渡って形成され、前記導水路内に水が流れ込んだ時に、前記排水口まで水が途切れることなく連続的に存在するために、前記交差部において、前記導水路の底面に、前記交差部以外の前記導水路の底面よりも凹ませた凹部が設けられたことを特徴とする浴室用床パネルが提供される。
【０００７】
また、本発明の他の一態様によれば、樹脂材料で形成された浴室用床パネルであって、前記浴室用床パネルの上の水を排水するための排水口と、前記排水口に連通し、前記排水口への水の排水を補助するための排水流し溝と、前記浴室用床パネルの表面に間隔を空けて島状に形成された複数の凸部と、前記複数の凸部のそれぞれの間に、前記凸部を取り囲むように設けられ、前記排水流し溝まで連続するように設けられた導水路と、を備え、前記導水路は、交差部を形成するように２方向以上に渡って形成され、前記導水路内に水が流れ込んだ時に、前記排水流し溝まで水が途切れることなく連続的に存在するために、前記交差部において、前記導水路の底面に、前記交差部以外の前記導水路の底面よりも凹ませた凹部が設けられたことを特徴とする浴室用床パネルが提供される。
【０００８】
また、本発明の他の一態様によれば、樹脂製の浴室用床パネルであって、前記浴室用床パネルの上の水を排水するための排水口と、前記浴室用床パネルの表面に設けられた複数の凸部と、前記複数の凸部の間に設けられ、第１の方向に延在する第１の間隙部と、第１の方向とは異なる第２の方向に延在する第２の間隙部と、前記第１の間隙部と前記第２の間隙部とが交差する交差部の底面に設けられた凹部と、を有し、前記排水口に連続する導水路と、を備え、前記凹部は、前記交差部の底面に、前記交差部以外の前記導水路の底面よりも凹み、前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水口に途切れることなく排水されることを特徴とする浴室用床パネルが提供される。
【０００９】
また、本発明の他の一態様によれば、樹脂製の浴室用床パネルであって、前記浴室用床パネルの上の水を排水するための排水口と、前記排水口に連通し、前記排水口への水の排水を補助するための排水流し溝と、前記浴室用床パネルの表面に設けられた複数の凸部と、前記複数の凸部の間に設けられ、第１の方向に延在する第１の間隙部と、第１の方向とは異なる第２の方向に延在する第２の間隙部と、前記第１の間隙部と前記第２の間隙部とが交差する交差部の底面に設けられた凹部と、を有し、前記排水流し溝に連続する導水路と、を備え、前記凹部は、前記交差部の底面に、前記交差部以外の前記導水路の底面よりも凹み、前記導水路は、前記導水路に流れ込んだ水を途切れさせずに一時捕水可能とし、前記浴室用床パネルの表面で水玉を形成した残水は、前記導水路内に一時捕水されている水と接触することで前記導水路内に引き込まれ、前記導水路から前記排水流し溝に途切れることなく排水されることを特徴とする浴室用床パネルが提供される。
【発明の効果】
【００１０】
本発明によれば、排水性と清掃性とを両立させた浴室用床パネルが提供される。
【発明を実施するための最良の形態】
【００１１】
以下、図面を参照し、本発明の実施形態について説明する。  
（第１の実施の形態）
図１は、本発明の第１の実施形態に係る浴室用床パネルの要部構造を例示する模式図である。図１（ａ）は、要部構造を例示する模式的斜視図、図１（ｂ）は、図１（ａ）のＡ−Ａ線断面図、図１（ｃ）は、図１（ａ）のＢ−Ｂ線断面図である。  
図２は、本発明の第１の実施形態に係る浴室用床パネルの構造を例示する模式図である。  
なお、本願明細書と図２以降の各図において、既出の図に関して前述したものと同様の要素には同一の符号を付して詳細な説明は適宜省略する。  
図２に表したように、本発明の第１の実施形態に係る浴室用床パネル１０は、浴室４００の主に洗い場に用いられる床パネルである。浴室用床パネル１０は、例えば、ＦＲＰ（Fiber Reinforced Plastic）等の樹脂材料によって形成される。そして、浴室用床パネル１０は、浴室用床パネル１０の上の水を排水するための排水口３００と、浴室用床パネル１０の表面に間隔を空けて複数の島状に形成された凸部１１０を備えている。浴室用床パネル１０は、この凸部１１０の間に、凸部１１０を取り囲むように形成された導水路１２０をさらに備えている。この導水路１２０は、交差部１３０を複数有するように少なくとも２方向以上に渡って形成されており、排水口３００まで連続して設けられている。
【００１２】
そして、導水路１２０の交差部１３０の底面１３２には、凹部２００が設けられている。これにより、導水路１２０内に水が流れ込んだ時に、排水口３００まで水が途切れることなく連続的に存在させることができる。
【００１３】
すなわち、図１（ａ）〜（ｃ）に表したように、本実施形態の浴室用床パネル１０は、表面に設けられた複数の凸部１１０と、複数の凸部１１０の間に設けられ、排水口３００に連続した導水路１２０を備えている。凸部１１０は、この例では、上平面視で矩形の形状をしているが、これには限らず、各種の多角形や、輪郭が曲線の形状など、各種の形状を有することができる。また、その配置も後述するように格子状の他、配置の位相がずれたレンガ積み状の配置、六方稠密の配置など各種の配置を有することができる。
【００１４】
そして、導水路１２０は、第１の間隙部１２１と第２の間隙部１２２を有している。第１の間隙部１２１は、この例では、Ａ−Ａ線方向に平行の第１の方向に延在している。そして、第２の間隙部１２２は、この例では、Ｂ−Ｂ線方向に平行の第２の方向に延在している。すなわち、第１の間隙部１２１と第２の間隙部１２２とは互いに実質的に直交している。ただし、本発明はこれには制限されず、第１の方向（第１の間隙部１２１）と第２の方向（第２の間隙部１２２）とは、交差すれば（非平行であれば）良い。そして、第１の間隙部１２１と第２の間隙部１２２とが交差する交差部１３０の底面１３２には、凹部２００が設けられている。  
そして、この凹部２００内には、導水路１２０内の排水勾配に影響されずに少量の水が滞留可能とされている。
【００１５】
凸部１１０は、上平面視で、例えば、約５ｍｍ×約１０ｍｍの長方形とすることができ、高さは、例えば、約０．５ｍｍとすることができる。また、導水路１２０、すなわち、第１の間隙部１２１及び第２の間隙部１２２の幅は、例えば２ｍｍ、深さは、例えば０．５ｍｍとすることができる。但し、本発明はこれには制限されない。
【００１６】
そして、凹部２００の深さｈは、例えば、１ｍｍ以下とすることができる。すなわち、凹部２００の底面と、導水路１２０内における凹部２００と隣接する底面１３２との高低差は１ｍｍ以下が望ましく、より望ましくは、０．５ｍｍ以下である。  
また、図１に示した例では、凹部２００は、上平面視で、略円形であり、その径は、例えば、０．２〜２ｍｍとすることができる。ただし、後述するように、本発明はこれには制限されない。
【００１７】
図３は、本発明の第１の実施形態に係る浴室用床パネルの製造に用いられる成形型の要部の構造を例示する模式的斜視図である。  
図３に表したように、本実施形態に係る浴室用床パネル１０の製造に用いられる成形型１０ａは、凸部１１０に対応する型凹部分１１０ａと、第１の間隙部１２１に対応する型凸部分１２１ａと、第２の間隙部１２２に対応する型凸部分１２２ａを有している。そして、交差部１３０に対応する型交差部分１３０ａには、凹部２００に対応する突起２００ａが設けられている。このような形状の成形型１０ａを用いて樹脂を成形することにより、本実施形態に係る浴室用床パネル１０を得ることができる。
【００１８】
なお、導水路１２０は、凸部１１０の間に凸部１１０に接して設けられるが、実質的には凸部１１０を形成することによって、凸部１１０の間に複数の間隙部（第１の間隙部１２１、第２の間隙部１２２）が設けられ、これにより、導水路１２０の主要部分が構成される。すなわち、導水路１２０は、凸部１１０を設けることによって自動的に設けることができるため、凸部１１０とは別に設ける必要はない。ただし、凸部１１０の間に、凸部１１０を取り囲むように形成されれば、凸部１１０を形成する工程とは別の工程によって、導水路１２０を設けても良い。
【００１９】
以上説明した構成を有する浴室用床パネル１０の作用について説明する。  
図４は、本発明の第１の実施形態に係る浴室用床パネルの排水状態を例示する模式的斜視図である。  
図４（ａ）は最初の状態であり、図４（ｂ）は、図４（ａ）に続く図、以降、図４（ｃ）〜図４（ｆ）は、それぞれ前の図に続く図である。  
図４（ａ）に表したように、浴室を普通に使用すると、浴室用床パネル１０の表面は濡れる。この時、浴室用床パネル１０の表面に、二次元の網目状の溝（導水路１２０）を設けておくと、溝（導水路１２０）は、浴室用床パネル１０の表面にある水１６０の一部を、溝（導水路１２０）の中に一時的に捕水する。すなわち、導水路１２０の第１の間隙部１２１及び第２の間隙部１２２の壁面における水の分子間力によって、導水路１２０内に水１６０が捕水され、浴室用床パネル１０の表面には、排水口３００まで連続した網目状（二次元状）の水路が形成される。
【００２０】
そして、図４（ｂ）に表したように、この状態で浴室を使用すると、浴室用床パネル１０の表面の大部分の水は、浴室用床パネル１０に設けられた通常の排水勾配３１０によって、導水路１２０及び浴室用床パネル１０の表面全体を流れ、排水される。この時、浴室用床パネル１０の表面上に、水玉１５０が形成され、この水玉１５０が一時的に浴室用床パネル１０の表面に留まってしまうものも発生する。
【００２１】
しかし、図４（ｃ）に表したように、この水玉１５０は独立することはなく、導水路１２０に捕水された水１６０とこの水玉１５０は接触しているため、これら各々の水が持つ表面張力によって、水玉１５０は、徐々に導水路１２０に引き込まれる。そして導水路１２０を経て、排水される。
【００２２】
図４（ｄ）に表したように、しばらくすると、水玉１５０は、全て導水路１２０に導水され、水玉は消滅する。  
そして、図４（ｅ）に表したように、水玉１５０を導水路１２０内に引き込むことで、導水路１２０中の水１６０の量は一時的に増えるが、導水路１２０の水１６０は、ゆっくりと途切れることなく排水されているため、時間の経過と共に、導水路１２０中の水１６０の量は減少する。  
そして、図４（ｆ）に表したように、しばらくすると、導水路１２０中の水１６０も殆どが排水される。この時、万一、導水路１２０の中に水１６０が残ってしまった場合、この水１６０は、量が少なく、浴室用床パネル１０の表面の広範囲に渡って散らばっているため、自然乾燥し易く、このため、結果として、浴室用床パネル１０の表面は、短時間で完全に乾燥することができる。例えば、平均的な浴室環境である温度１５．３℃、湿度６６％の環境下において、８時間程度の間に自然乾燥が可能となる。
【００２３】
このように、表面に溝（導水路１２０）を設けることで排水する方式の浴室用床パネルにおいては、その溝（導水路１２０）の形状・寸法・配置・表面シボなどによって、濡れ性と流下抵抗を大きく発現させ、それによって、導水路１２０中に水１６０を繋がった状態で途切れなく捕まえて、効率的な排水を行っている。  
この時、排水性能を安定させるためには、導水路１２０を、より細く、より深く、または、より細かいピッチで設け、導水路１２０中の水１６０を途切れない状態で捕水する必要がある。
【００２４】
このような床において、清掃性を向上させたい場合、導水路１２０となる溝を、より太く、より浅く、より疎に設けることがある。しかし、この場合、導水路１２０の捕水力が低下し、排水性能が低下してしまう。そして、浴室用床パネルの表面が汚れたり、傷付いたりすることによって、表面の状態が、初期の状態から異なった時にさらに顕著に排水性能が低下する傾向があり、すなわち、浴室用床パネルの表面の汚れや傷は、排水性に係わる耐久性を劣化させる。このように、清掃性と排水性（乾燥性）とはトレードオフの関係となる。
【００２５】
清掃性を向上させるために、導水路１２０となる溝を、より太く、より浅く、より疎に設けると、導水路１２０の捕水力が全体的に低下していくが、その際、捕水力が弱い部分は、縦横の溝が交わる交差部１３０であり、この部分で最初に水が途切れ易くなる。  
すなわち、床パネルの表面上に刻まれた溝（導水路１２０）の中に存在する水１６０は、溝の側面・底面にへばりつきながら流れ、それらの部分にへばりつく合力が床パネルの材質が本来持つ撥水力に打ち勝った場合、そこに途切れずに存在できる。横溝（第１の間隙部１２１）の部分や、縦溝（第２の間隙部１２２）の部分では、溝の側壁部分がその両脇に存在するが、横溝と縦溝とが交差する交差部１３０では、ミクロ的に見ると溝の側壁が一瞬無くなる部分であり、側壁部分に依存していた水の付着力の減少によって、素材そのものの撥水力が勝ち易くなり、他の部分に比べ導水路１２０中の水が途切れる現象が発生し易い。  
交差部１３０で水が途切れると、交差部１３０を基点にして切れ始めた水は、縦横の溝の中に溜め込んでいる水にも影響を与え、溝中の水を広範囲に欠損させてしまう。導水路１２０中の水１６０が、一連して繋がらずに、欠損してしまう部分が多くなると、排水効果が得られなくなる。
【００２６】
本実施形態に係る浴室用床パネル１０においては、交差部１３０における導水路１２０の底面を部分的に凹ませ、その部分に積極的にごく少量の水を溜めるようにすることで、交差部１３０での側壁面喪失によって低下した導水路１２０への水の付着力を補い、交差部１３０を基点にして導水路１２０中の水が途切れる現象を防止し、導水路１２０内に水が繋がった状態で、水を溜め込むことができる。これにより、排水性能と清掃性の向上を図ることができる。  
すなわち、凹部２００内には、導水路１２０内の排水勾配に影響されずに少量の水が滞留可能とされており、これにより、交差部１３０での側壁面喪失によって低下した導水路１２０への水の付着力を補うことができる。
【００２７】
このように、捕水性が最も弱い交差部１３０の捕水性を補強することによって、清掃性を悪化させる要因となる、狭い溝幅、深い溝や、細かい溝配置等の手段を採用しなくても、排水性（乾燥性）や耐久性を確保でき、性能・安定性と清掃性を両立させる浴室用床パネルを提供できる。
【００２８】
このようにして、浴室用床パネル１０においては、清掃性を向上させるために、導水路１２０の幅寸法を長くしたり、導水路１２０の高さ（深さ）寸法を短くしたり、導水路１２０の配置ピッチを長くしても、導水路１２０は、導水路１２０に流れ込んだ水を途切れさせずに一時捕水可能とし、浴室用床パネル１０の表面で水玉１５０を形成した残水は、導水路１２０内に一時捕水されている水１６０と接触することで、導水路１２０から、排水口３００に途切れることなく排水される。そして、翌日には、洗い場上に水滴が残らなくなる。
【００２９】
すなわち、導水路１２０の第１の間隙部１２１と第２の間隙部１２２とが交差する交差部１３０においては、上平面視での単位面積当たりの表面積が、導水路１２０の他の部分に比べて、小さい。すなわち、交差部１３０の近傍の、第１の間隙部１２１と第２の間隙部１２２においては、例えば、隣接する複数の凸部１１０に接した少なくとも２つの壁面により導水路１２０は囲まれるが、交差部１３０においては、例えば図１（ａ）に表すように、囲まれる壁面を局部的に有さない。このため、交差部１３０に凹部２００を設けない場合は、単位面積当たりの表面積が、交差部１３０以外の部分に比べ明らかに小さい。この時、浴室用床パネル１０は、例えばＦＲＰ等の樹脂により形成され、その表面は撥水性となっており、その表面自由エネルギーは水より小さい。そして、単位面積当たりの表面積が小さい部分で、水は最初に弾かれ、このため、導水路１２０中の水１６０は交差部１３０において途切れ易くなる。  
この時、本実施形態に係る浴室用床パネル１０は、この交差部１３０の底面に凹部２００を設けているので、交差部１３０の上平面視における単位面積当たりの表面積を増加させることができる。これにより、交差部１３０において、導水路１２０中の水１６０が途切れることを防止できる。
【００３０】
これにより、本実施形態に係る浴室用床パネル１０によって、排水性と清掃性とを両立させた浴室用床パネルを提供することができる。
【００３１】
なお、交差部１３０に設けた凹部２００の寸法は、深さ０．５ｍｍ程度のごく小さなもので良く、その凹みによって清掃性を悪化させるものではない。
【００３２】
なお、本実施形態に係る浴室用床パネル１０は、浴槽４１０とシャワー４２０が備えられた浴室４００の洗い場床４３０に用いられる例を示したが、例えば、シャワー４２０は無くても良い。また、浴槽４１０を有しない、いわゆるシャワー４２０のみを備えたシャワー室の床パネルとしても用いることができる。すなわち、本願明細書において、「浴室」とは、浴槽を備えた浴室のみならず、シャワーのみを備えたがシャワー室も含める。  
さらに、本実施形態に係る浴室用床パネル１０は、浴室の洗い場だけではなく、浴槽４１０の底部の床パネルとして使用することもできる。この場合も、排水性と清掃性を両立することができる。
【００３３】
なお、本実施形態において凹部２００は種々の大きさ、数、形状を有することができる。これについて、以下、説明する。  
図５は、本発明の第１の実施形態に係る浴室用床パネルの要部構造を例示する模式的部分平面図である。  
図５（ａ）は、図１に例示した浴室用床パネル１０の平面図である。既に説明したように、導水路１２０の交差部１３０、すなわち、第１の間隙部１２１と第２の間隙部とが交差する交差部１３０に、略円形の凹部２００（網掛け部で示す）が設けられている。そして、凹部２００の直径は、第１の間隙部１２１と第２の間隙部１２２の幅より小さい例である。  
図５（ｂ）〜（ｆ）は、第１の実施形態に係る別の浴室用床パネル１１、１２、１３、１４、１５の平面図である。  
図５（ｂ）に表したように、本実施形態に係る別の浴室用床パネル１１においては、凹部２００の大きさは、図５（ａ）に例示した浴室用床パネル１０の場合よりも大きく、第１の間隙部１２１と第２の間隙部１２２の幅とほぼ同じ直径を有している。  
さらに、図５（ｃ）に表したように本実施形態に係る別の浴室用床パネル１２は、凹部２００がさらに大きい例であり、第１の間隙部１２１と第２の間隙部１２２の幅より凹部２００の直径が長く、すなわち、凹部２００は、凸部１１０に接している。このように、凹部２００の大きさは任意である。
【００３４】
また、図５（ｄ）に表したように、本実施形態に係る別の浴室用床パネル１３においては、凹部２００は、１つの交差部１３０につき、複数設けられている。この場合は、凹部２００は、５つの凹みからなっている。このように、凹部２００の数は任意である。  
さらに、図５（ｅ）に表したように、本実施形態に係る別の浴室用床パネル１４においては、交差部１３０の形状に沿った、略十字形状の凹部２００が設けられている。  
また、図５（ｆ）に表したように、本実施形態に係る別の浴室用床パネル１５では、凸部１１０は、配置のピッチが約１／２ずれたレンガ積み状の配列を有している。そして、この場合、凹部２００は交差部１３０の形状に合わせた略Ｔ字形状を有している。このように、凹部２００の形状は、円形だけでなく各種の形状を有することができる。
【００３５】
ここで、本図に例示したように、凸部１１０の上平面視での外形が実質的に直線部を有し、そして、第１の間隙部１２１の幅が実質的に一定となる部分を有し、及び、第２の間隙部１２２の幅が実質的に一定となる部分を有する場合、これら間隙部の幅が一定となる部分を除く部分を交差部１３０と定義することができる。すなわち、本図における点線部を交差部１３０と定義することができる。  
このように交差部１３０を定義した場合、本図に例示した浴室用床パネル１０〜１５においては、凹部２００は、交差部１３０の内部の底面に設けられている。  
ただし、本発明は、これには制限されず、凹部２００は、交差部１３０の内部の底面に設けるだけではなく、交差部１３０の領域を超えて設けることができる。
【００３６】
（第２の実施の形態）
図６は、本発明の第２の実施形態に係る浴室用床パネルの要部構造を例示する模式図である。図６（ａ）は、要部構造を例示する模式的斜視図、図６（ｂ）は、図６（ａ）のＡ−Ａ線断面図、図６（ｃ）は、図６（ａ）のＢ−Ｂ線断面図、図６（ｄ）は、平面図である。  
本発明の第２の実施形態に係る浴室用床パネル２０は、既に説明した浴室用床パネル１０に対して、凹部２００の形状が異なり、他の部分に関しては、浴室用床パネル１０と同様とすることができるので、凹部２００についてのみ説明し、他の部分についての説明は省略する。
図６（ａ）〜（ｄ）に表したように、本実施形態に係る浴室用床パネル２０は、表面に設けられた複数の凸部１１０と、複数の凸部１１０の間に設けられた導水路１２０を備えており、導水路１２０の交差部１３０に、凹部２００が設けられている。すなわち、複数の凸部１１０の間に設けられた導水路１２０の第１の間隙部１２１と第２の間隙部とが交差する交差部１３０の底面に設けられた凹部２００を有しており、網掛け部で示された凹部２００は、点線で示された交差部１３０の周囲の近傍まで延在して設けられている。  
すなわち、凹部２００は、交差部１３０の内部、及び、交差部１３０の領域を超えて、設けられている。このように、凹部２００は、交差部１３０の底面に設ければ良く、隣の交差部における凹部と連結されない範囲で、交差部１３０の内部、及び、交差部１３０の領域を超えて設けることができる。なお、この例では、凹部２００の上平面視の形状が略十字の形状をしている。
このように、凹部２００を浅く極力広範囲に形成することによって、凹部２００内に滞留した水の単位水量あたりの表面積が広がるため、乾燥し易くなる。また、広範囲に凹部２００を形成することで、導水路１２０内の捕水力がより高まる。
【００３７】
このように、凹部２００は、交差部１３０の中のみに小さく設けられる必要はなく、交差部１３０に凹部２００が形成されれば良い。  
すなわち、凹部２００が、交差部１３０において、導水路１２０の側壁面喪失によって低下した導水路１２０への水の付着力を補う機能を有していれば、凹部２００は、交差部１３０を基点にして導水路１２０中の水が途切れる現象を防止し、導水路１２０内に水が繋がった状態で、水を溜め込むことができる。  
これにより、本実施形態に係る浴室用床パネル２０によって、排水性と清掃性とを両立させた浴室用床パネルを提供することができる。
【００３８】
以下、上に説明した第１、第２の実施形態に係る浴室用床パネルの変形例を説明する。  図７は、本発明の実施形態に係る別の浴室用床パネルの要部構造を例示する模式図である。図７（ａ）は、要部構造を例示する模式的斜視図、図７（ｂ）は、図７（ａ）のＡ−Ａ線断面図、図７（ｃ）は、図７（ａ）のＢ−Ｂ線断面図である。  
図７に表したように、本発明の実施形態に係る別の浴室用床パネル２５は、既に説明した浴室用床パネル１０に対して、凸部１１０の表面形状が異なり、他の部分に関しては、浴室用床パネル１０と同様とすることができるので、凸部１１０の表面形状についてのみ説明し、他の部分についての説明は省略する。
図７に表したように、浴室用床パネル２５は、凸部１１０の表面に浅い凹凸１１１を有している。この凹凸１１１は、各凸部１１０の上面に独立して設けられ、凹凸１１１の高さ（深さ）が低いので、導水路１２０とは異なり、排水口３００まで水を導水する機能はないが、浴室用床パネル１５の表面の滑り止めの機能があり、また、適度な柔らかさの質感を持たせることができ、さらには、意匠性を高めることができる。
【００３９】
このように、凸部１１０の表面（上面）に凹凸１１１を設けた場合も、交差部１３０の凹部２００によって、導水路１２０の側壁面喪失によって低下した導水路１２０への水の付着力を補うことができ、交差部１３０を基点にして導水路１２０中の水が途切れる現象を防止し、導水路１２０内に水が繋がった状態で、水を溜め込むことができる。なお、この場合も、凹部２００は、図５、図６に例示したように、各種の大きさ、数、形状を有することができる。  
これにより、本発明の実施形態に係る浴室用床パネル２５によって、排水性と清掃性とを両立させた浴室用床パネルを提供することができる。
【００４０】
図８は、本発明の実施形態に係る別の浴室用床パネルの要部構造を例示する模式図である。図８（ａ）、（ｂ）は、要部構造を例示する、それぞれ、模式的斜視図及び平面図である。  
図８に表したように、本発明の実施形態に係る別の浴室用床パネル２６は、既に説明した浴室用床パネル１０に対して、凸部１１０の形状が異なり、他の部分に関しては、浴室用床パネル１０と同様である。
図８（ｂ）に表したように、浴室用床パネル２６において、凸部１１０は、上平面視で、長辺と短辺がほぼ２：１の長さを有する長方形の形状を有しており、長方形２つが並列してほぼ正方形となっている。そして、２つ並列した長方形の配置の向きが、２つの長方形の組ごとに、縦と横に、互い違いに配置されている。  
このような配置の凸部１１０の場合も、凸部１１０の間に導水路１２０が形成され、導水路１２０は、第１の間隙部１２１と第２の間隙部１２２を有し、第１の間隙部１２１と第２の間隙部１２２の交差部１３０に、凹部２００が設けられている。なお、この場合も、凹部２００は、図５及び図６に例示したように、各種の大きさ、数、形状を有することができる。  
これにより、本発明の実施形態に係る浴室用床パネル２６によって、排水性と清掃性とを両立させた浴室用床パネルを提供することができる。
【００４１】
図９は、本発明の実施形態に係る別の浴室用床パネルの要部構造を例示する模式図である。図９（ａ）は、要部構造を例示する模式的斜視図、図９（ｂ）は、図９（ａ）のＡ−Ａ線断面図、図９（ｃ）は、図９（ａ）のＢ−Ｂ線断面図である。  
図９に表したように、本発明の実施形態に係る別の浴室用床パネル２７は、既に説明した浴室用床パネル１０に対して、凸部１１０の配置形態が異なり、他の部分に関しては、浴室用床パネル１０と同様である。
図９に表したように、浴室用床パネル２７において、凸部１１０は、上平面視で実質的に正方形をしており、その配置は、隣接する列に対して、配列の位相が略１／２ピッチずれた、レンガ積み状の配置を有している。このような配置の凸部１１０の場合も、凸部１１０の間に導水路１２０が形成され、導水路１２０は、第１の間隙部１２１と第２の間隙部１２２を有し、第１の間隙部１２１と第２の間隙部１２２の交差部１３０に、凹部２００が設けられている。なお、この場合も、凹部２００は、図５及び図６に例示したように、各種の大きさ、数、形状を有することができる。  
これにより、本発明の実施形態に係る浴室用床パネル２７によって、排水性と清掃性とを両立させた浴室用床パネルを提供することができる。
【００４２】
図１０は、本発明の実施形態に係る別の浴室用床パネルの要部構造を例示する模式図である。図１０（ａ）は、要部構造を例示する模式的斜視図、図１０（ｂ）は、図１０（ａ）のＡ−Ａ線断面図、図１０（ｃ）は、図１０（ａ）のＢ−Ｂ線断面図である。  
図１０に表したように、本発明の実施形態に係る別の浴室用床パネル２８は、既に説明した浴室用床パネル１０に対して、凸部１１０の形状が異なり、他の部分に関しては、浴室用床パネル１０と同様である。
図１０に表したように、浴室用床パネル２８において、凸部１１０は、上平面視で実質的に正六角形を有しており、その配置は、実質的に六方稠密配列である。  
このような形状の場合、凸部１１０の間に導水路１２０が形成され、導水路１２０は、第１の間隙部１２１と、第２の間隙部１２２と、第３の間隙部１２３を有している。そして、この場合、交差部１３０は、第１の間隙部１２１と、第２の間隙部１２２と、第３の間隙部１２３と、が交差する部分となる。すなわち、交差部１３０は、３つ以上の間隙部が交差して形成される場合があり、この場合も、交差部１３０に凹部２００が設けられている。なお、この場合も、この凹部２００は、図５及び図６に例示したように、各種の大きさ、数、形状を有することができる。
これにより、本発明の実施形態に係る浴室用床パネル２８によって、排水性と清掃性とを両立させた浴室用床パネルを提供することができる。
なお、以上の図７〜図１０に例示した浴室用床パネル２５〜２８は、凹部２００が交差部１３０の内側に設けられた例であるが、これに限らず、凹部２００は、図６に例示したように、交差部１３０の内側及び交差部１３０の領域を超えて設けることができる。
なお、上記において、導水路１２０と凹部２００との段部は、曲面状になるように面取りされていても良い。このようにすることで、凹部２００において水が途切れ難くなる。また、清掃性も向上する。
また、凹部２００は、導水路１２０の底面に形成されているため、導水路１２０内に凹部２００があることを使用者が認識し難く、意匠性も悪化させない。
【００４３】
（第３の実施の形態）
図１１は、本発明の第３の実施形態に係る浴室用床パネルの構造を例示する模式図である。  
図１１に表したように、本発明の第３の実施形態に係る浴室用床パネル３０は、図２に例示した浴室用床パネル１０に対して、さらに、排水口３００に連通し、排水口３００への水の排水を補助するための排水流し溝３２０を備えている。そして、導水路１２０は、導水路１２０に流れ込んだ水を途切れさせずに一時捕水可能とし、浴室用床パネル３０の表面で水玉を形成した残水は、導水路１２０内に一時捕水されている水と接触することで導水路１２０から排水流し溝３２０に途切れることなく排水される。  
そして、浴室用床パネル１０と同様に、導水路１２０は、交差部を複数有するように少なくとも２方向以上に渡って形成されており、導水路１２０内の交差部１３０の底面に凹部２００が設けられている。すなわち、導水路１２０は、複数の凸部１１０の間に設けられ、第１の方向に延在する第１の間隙部１２１と、第１の方向とは異なる第２の方向に延在する第２の間隙部１２２と、第１の間隙部１２１と第２の間隙部１２２とが交差する交差部１３０の底面に設けられた凹部２００と、を有している。
【００４４】
この凹部２００は、既に図１、図５〜１０に例示した各種の大きさ、数、形状、配置を有することができる。
【００４５】
このように、交差部１３０に凹部２００を設けることで、導水路１２０の側壁面喪失によって低下した導水路１２０への水の付着力を補うことができ、交差部１３０を基点にして導水路１２０中の水が途切れる現象を防止し、導水路１２０内に水が繋がった状態で、水を溜め込むことができる。  
これにより、本発明の実施形態に係る浴室用床パネル３０によって、排水性と清掃性とを両立させた床パネルを提供することができる。
なお、上記の各実施形態において、凹部２００内には、少量の水が滞留可能とされている。凹部２００内に滞留したこの水は、排水口３００または排水流し溝３２０まで途切れることなく連続して排水されない。しかし、凹部２００内に滞留する水量は少量であるため、短時間で乾燥する。また、凹部２００は、導水路１２０内に、さらに凹状に形成されているものであるため、使用者の足裏が触れ難い部分であり、凹部２００内に少量の水が残ったとしても、使用感は損ねない。
【００４６】
以上、具体例を参照しつつ、本発明の実施の形態について説明した。しかし、本発明は、これらの具体例に限定されるものではない。例えば、浴室用床パネルを構成する各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。  
その他、本発明の実施の形態として上述した浴室用床パネルを基にして、当業者が適宜設計変更して実施し得る全ての浴室用床パネルも、本発明の要旨を包含する限り、本発明の範囲に属する。  
その他、本発明の思想の範疇において、当業者であれば、各種の変更例及び修正例に想到し得るものであり、それら変更例及び修正例についても本発明の範囲に属するものと了解される。
【図面の簡単な説明】
【００４７】
【図１】本発明の第１の実施形態に係る浴室用床パネルの要部構造を例示する模式図である。
【図２】本発明の第１の実施形態に係る浴室用床パネルの構造を例示する模式図である。
【図３】本発明の第１の実施形態に係る浴室用床パネルの製造に用いられる成形型の要部の構造を例示する模式的斜視図である。
【図４】本発明の第１の実施形態に係る浴室用床パネルの排水状態を例示する模式的斜視図である。
【図５】本発明の第１の実施形態に係る浴室用床パネルの要部構造を例示する模式的部分平面図である。
【図６】本発明の第２の実施形態に係る浴室用床パネルの要部構造を例示する模式図である。
【図７】本発明の実施形態に係る別の浴室用床パネルの要部構造を例示する模式図である。
【図８】本発明の実施形態に係る別の浴室用床パネルの要部構造を例示する模式図である。
【図９】本発明の実施形態に係る別の浴室用床パネルの要部構造を例示する模式図である。
【図１０】本発明の実施形態に係る別の浴室用床パネルの要部構造を例示する模式図である。
【図１１】本発明の第３の実施形態に係る浴室用床パネルの構造を例示する模式図である。
【符号の説明】
【００４８】
１０、１１、１２、１３、１４、１５、２０、２５、２６、２７、２８、３０…浴室用床パネル、  １０ａ…成形型、  １１０…凸部、  １１０ａ…型凹部分、  １１１…凹凸、  １２０…導水路、  １２１…第１の間隙部、  １２１ａ、１２２ａ…型凸部分、  １２２…第２の間隙部、  １２３…第３の間隙部、  １３０…交差部、  １３０ａ…型交差部分、  １３２…底面、  １５０…水玉、  １６０…水、  ２００…凹部、  ２００ａ…突起、  ３００…排水口、  ３１０…排水勾配、  ３２０…排水流し溝、  ４００…浴室、  ４１０…浴槽、  ４２０…シャワー、  ４３０…洗い場床
【図１】
0005292832.tif 000002
【図２】
0005292832.tif 000003
【図３】
0005292832.tif 000004
【図４】
0005292832.tif 000005
【図５】
0005292832.tif 000006
【図６】
0005292832.tif 000007
【図７】
0005292832.tif 000008
【図８】
0005292832.tif 000009
【図９】
0005292832.tif 000010
【図１０】
0005292832.tif 000011
【図１１】
0005292832.tif 000012